(57)【要約】  【課題】  枢軸の２個所にトルクを加えることができる構成において、部品点数を削減でき、ばね環の組込みを容易にできるヒンジ構造を提供する。  【解決手段】  携帯機器の支持部材７にモニタ部８を枢支すべき枢軸１と、枢軸１と交差する支軸３と、周方向位置に枢軸１及び支軸３がそれぞれ挿通される挿通部２１，２２を有するばね環２と、枢軸１に螺着され、ばね環２をラジアル方向へ撓ませるナット４ａとを備え、該ナット４ａがばね環２を楕円形に変形させることにより枢軸１及び支軸３にトルクを加えるようにした。【選択図】        図５
2005331047.tif 000002
【特許請求の範囲】
【請求項１】
支持部材に可動部材を枢支すべき枢軸及び該枢軸にトルクを加える弾性体を備えたヒンジ構造において、前記弾性体は周方向位置に前記枢軸が挿通される挿通部を有するばね環からなり、該ばね環をラジアル方向へ撓ませる手段を備えていることを特徴とするヒンジ構造。
【請求項２】
前記枢軸と交差し、前記ばね環を支える支軸を備えており、前記ばね環は周方向位置に前記支軸が挿通される挿通部を有する請求項１記載のヒンジ構造。
【請求項３】
前記手段は前記枢軸に軸長方向へ移動可能に保持された移動体からなる請求項１又は２記載のヒンジ構造。
【請求項４】
前記ばね環は該ばね環の弾性復元力を変える変更手段を有する請求項１乃至３の何れか一つに記載のヒンジ構造。
【発明の詳細な説明】
【技術分野】
【０００１】
本発明は支持部材に可動部材を枢支すべき枢軸にトルクを加えたヒンジ構造に関する。
【背景技術】
【０００２】
デジタルビデオカメラ、携帯電話等の撮像部を有する携帯機器には撮像部による撮像状況を目視確認するためのモニタ部、換言すればビューファインダが設けられている。このモニタ部は撮像部が支持された支持体にヒンジにより取着され、支持体に対して開閉可能及び開いた状態で回動可能となるように構成されている。前記ヒンジの構造は例えば特許文献１に記載されている。
【０００３】
特許文献１のヒンジ構造は、モニタ部がその両端部に取着される枢軸と、該枢軸の回転にトルクを加える２つのコイルバネと、前記枢軸を回転自在に支持し、支持体に回転自在に支持される支軸と、該支軸の回転にトルクを加えたコイルバネとを備えている。このヒンジ構造は、支軸が支持体に回転自在に支持され、枢軸の両端部にモニタ部が取着されるため、枢軸を中心としてモニタ部を回転させることができ、さらに、支軸を中心としてモニタ部を回転させることができる。また、２つのコイルばねにより枢軸の２個所にトルクを加えることができる。
【特許文献１】特開２００２−１５５９２３号公報
【発明の開示】
【発明が解決しようとする課題】
【０００４】
ところが、特許文献１のヒンジ構造にあっては、複数のコイルバネ、各コイルバネを受止める受止部材、各コイルバネの撓み状態を維持する複数のストッパ等の部品が必要であるため、部品点数が比較的多く、構造が複雑であった。しかも、各コイルバネに負荷を加えた状態で前記ストッパを取着する必要があるため、組立て作業が行い難く、組立て作業性が悪いと言う問題があった。
【０００５】
本発明は斯かる事情に鑑みてなされたものであり、主たる目的は周方向位置に枢軸が挿通される挿通部を有するばね環と、該ばね環をラジアル方向へ撓ませる手段とを備える構成とすることにより、枢軸の２個所にトルクを加えることができる構成において、部品点数を削減でき、ばね環の組込みを容易にできるヒンジ構造を提供することにある。
【０００６】
また、他の目的は枢軸と交差し、ばね環を支える支軸が挿入される挿通部をばね環に設けることにより、それぞれにトルクを加える枢軸及び支軸を備える構成において部品点数を削減でき、１つのばね環により枢軸及び支軸のそれぞれの２個所にトルクを加えることが可能なヒンジ構造を提供することにある。
【０００７】
また、他の目的は枢軸に軸長方向へ移動可能な移動体を保持することにより、トルクを加える操作を簡易にできるヒンジ構造を提供することにある。
【課題を解決するための手段】
【０００８】
本発明に係るヒンジ構造は、支持部材に可動部材を枢支すべき枢軸及び該枢軸にトルクを加える弾性体を備えたヒンジ構造において、前記弾性体は周方向位置に前記枢軸が挿通される挿通部を有するばね環からなり、該ばね環をラジアル方向へ撓ませる手段を備えていることを特徴とする。
【０００９】
この発明にあっては、１つのばね環により枢軸の２個所にトルクを加えることができるため、部品点数を削減でき、構造を簡単にできる。しかも、非撓み状態のばね環に枢軸を挿通支持した後、手段によりばね環をラジアル方向へ撓ませることができるため、ばね環の組込みを容易にでき、組込作業性を向上できる。
【００１０】
また、本発明に係るヒンジ構造は、前記枢軸と交差し、前記ばね環を支える支軸を備えており、前記ばね環は周方向位置に前記支軸が挿通される挿通部を有することを特徴とする。
【００１１】
この発明にあっては、１つのばね環により枢軸及び支軸にトルクを加えることができるため、枢軸及び支軸を備える構成において部品点数を削減でき、構造を簡単にできる。しかも、１つのばね環により枢軸及び支軸のそれぞれの２個所にトルクを加えることが可能である。
【００１２】
また、本発明に係るヒンジ構造は、前記手段は前記枢軸に軸長方向へ移動可能に保持された移動体からなることを特徴とする。
【００１３】
この発明にあっては、枢軸に移動体が保持されているため、非撓み状態のばね環に枢軸を挿通支持した後、移動体を移動操作することによりトルクを加えることができ、トルクを加える操作を簡易にできる。
【００１４】
また、本発明に係るヒンジ構造は、前記ばね環は該ばね環の弾性復元力を変える変更手段を有することを特徴とする。
【００１５】
この発明にあっては、ばね環の挿通部、非挿通部に変更手段を設けることができるため、トルクの大きさが異なる複数種類のヒンジ構造であっても、１種類のばね環を利用することができ、汎用性を高めることができる。
【発明の効果】
【００１６】
以上詳述したように本発明によれば、１つのばね環により枢軸の２個所にトルクを加えることができるため、部品点数を削減でき、構造を簡単にできる。しかも、ばね環を非撓み状態にして組込むことができるため、ばね環の組込みを容易にでき、組込作業性を向上できる。
【００１７】
また、本発明によれば、それぞれにトルクを加える枢軸及び支軸を備えた構成において部品点数を削減でき、構造を簡単にでき、しかも、１つのばね環により枢軸及び支軸のそれぞれの２個所にトルクを加えることが可能である。
【００１８】
また、本発明によれば、非撓み状態のばね環に枢軸を挿通支持した後、移動体を移動操作することによりトルクを加えることができ、トルクを加える操作を簡易にできる。
【００１９】
また、本発明によれば、トルクの大きさが異なる複数種類のヒンジ構造であっても、１種類のばね環を利用することができ、汎用性を高めることができる。
【発明を実施するための最良の形態】
【００２０】
以下本発明をその実施の形態を示す図面に基づいて詳述する。図１は本発明に係るヒンジ構造の平面図、図２は図１のII−II線の断面図、図３は図１の III−III 線の断面図、図４はヒンジ構造の斜視図である。
このヒンジ構造Ａは支持部材に可動部材を枢支すべき枢軸１と、該枢軸１を回転自在に支持し、枢軸１にトルクを加える弾性体としてのばね環２と、枢軸１と交差して配置され、ばね環２を前記支持部材に回転自在に支持するための支軸３と、ばね環２をラジアル方向へ撓ませるための移動体４とを備えている。
【００２１】
枢軸１は大径軸部１１と、該大径軸部１１にラジアル方向の段部１２を介して連なり、ばね環２に支持される中径軸部１３と、該中径軸部１３にラジアル方向の段部１４を介して連なる小径軸部１５とを有しており、大径軸部１１及び小径軸部１５の端部に可動部材が取着される取着部１６，１７が設けられており、中径軸部１３の端部にねじ部１８が設けられており、該ねじ部１８に移動体４としてのナット４ａが螺着されている。また、中径軸部１３に間座としての平座金５が外嵌されている。
【００２２】
支軸３は前記支持部材に固定される大径軸部３１と、該大径軸部３１にラジアル方向の段部３２を介して連なり、ばね環２を支持する小径軸部３３とを有しており、小径軸部３３の端部に環状溝３４が設けられており、該環状溝３４にストッパとしての止め輪６が外嵌されている。
【００２３】
ばね環２は円筒形をなしており、２つの周方向位置に１８０度の位相差で穿設された第１の挿通部２１，２１と、第１の挿通部２１，２１間の２つの周方向位置に９０度の位相差で穿設された第２の挿通部２２，２２とを有しており、第１の挿通部２１，２１に枢軸１の中径軸部１３が挿通され、第２の挿通部２２，２２に支軸３の小径軸部３３が挿通されている。第１及び第２の挿通部２１，２２はばね環２の中心軸線方向へ位置ずれしており、枢軸１と支軸３とを直交的に交差させることができるように穿設されている。また、ばね環２の非挿通部にはばね環２の弾性復元力を変える変更手段としての貫通孔２３が複数個設けられている。
【００２４】
図５は枢軸及び支軸にトルクを加えた状態の平面図である。以上のように構成されたヒンジ構造Ａは、第１の挿通部２１，２１に枢軸１の中径軸部１３が挿通され、該中径軸部１３に平座金５が外嵌され、さらにねじ部１８にナット４ａが螺着される。また、第２の挿通部２２，２２に支軸３の小径軸部３３が挿通され、該支軸３の環状溝３４に止め輪６が係止される。このように組立てられたとき、ばね環２は非撓み状態であり、枢軸１の段部１２及び平座金５とばね環２との間の隙間は、支軸３の段部３２及び止め輪６とばね環２との間に隙間よりも小さくなっており、この状態でナット４ａを締込むことにより、ばね環２をラジアル方向へ撓ませて略楕円形に変形させ、該ばね環２の２つの周方向部分を枢軸１の段部１２及び平座金５に弾圧するとともに、ばね環２の２つの周方向部分を支軸３の段部３２及び止め輪６に弾圧し、枢軸１及び支軸３のそれぞれ２個所にトルクを加える。このように１つの移動体（ナット）４を回転操作することにより枢軸１及び支軸３のそれぞれ２個所にトルクを加えることができる。
【００２５】
また、枢軸１側の前記隙間と、支軸３側の前記隙間との差を変えたり、ラジアル方向の厚さが部分的に異なるばね環２を用いたりすることにより、枢軸１に加えるトルクと、支軸３に加えるトルクとを異ならせることがでる。
【００２６】
図６はヒンジ構造を用いた携帯機器の斜視図である。以上のように構成されたヒンジ構造Ａは例えばデジタルビデオカメラ、携帯電話等の携帯機器Ｂに用いられる。この携帯機器Ｂは撮像部が支持された支持体７に、撮像部による撮像状況を目視確認するためのモニタ部（可動部材）８がヒンジ構造Ａにより取着される。具体的には支軸３の大径軸部３１が支持体７に取着され、枢軸１の取着部１６，１７にモニタ部８が取着される。従って、モニタ部８は枢軸１を中心として図６の矢印Ｘ方向へ開閉することができ、さらに、開いた状態で支軸３を中心として図６の矢印Ｙ方向へ回転させることができる。また、支軸３の中心部には貫通孔が設けられており、該貫通孔に挿通された余長処理可能の信号線９によりモニタ部８が前記撮像部に接続されている。
【００２７】
尚、以上説明した実施の形態ではばね環２に第１及び第２の挿通部２１，２２を設け、各挿通部２１，２２に枢軸１及び支軸３を挿通してトルクを加えるように構成したが、その他、ばね環２には第１及び第２の挿通部２１，２２よりも多い挿通部を設け、３本以上の軸を挿通して各軸にトルクを加えるように構成してもよいのであり、軸の本数は特に制限されない。
また、以上説明した実施の形態ではばね環２に貫通孔からなる挿通部２１，２２を設けたが、その他、この挿通部２１，２２は一部が開放された凹状をなす形状であってもよい。
【００２８】
また、以上説明した実施の形態では支軸３を支持体７に取着し、枢軸１にモニタ部８を取着したが、その他、枢軸１を支持体７に枢支し、支軸３にモニタ部８を枢支した構成としてもよい。
また以上説明した実施の形態では枢軸１及び支軸３を備え、枢軸１及び支軸３にばね環２がトルクを加える構成としたが、その他、支軸３がなく、枢軸１だけを備え、該枢軸１にばね環２がトルクを加える構成としてもよい。また、枢軸１及び支軸３を備える構成にあっては、移動体４を枢軸１に設ける他、移動体４を支軸３に設けてもよい。
【００２９】
また、ばね環２をラジアル方向へ撓ませる手段としてをナット４ａを用いたが、この手段の構成は特に制限されない。
また、ばね環２の弾性復元力を変える変更手段として、貫通孔２３を設けたが、その他、スリット、凸条であってもよいし、また、底部が薄肉となる溝であってもよい。
【００３０】
又、本発明に係るヒンジ構造Ａは携帯機器Ｂに用られる他、携帯機器Ｂを除く個所に用いられてもよい。
【図面の簡単な説明】
【００３１】
【図１】本発明に係るヒンジ構造の平面図である。
【図２】図１のII−II線の断面図である。
【図３】図１の III−III 線の断面図である。
【図４】本発明に係るヒンジ構造の斜視図である。
【図５】本発明に係るヒンジ構造の枢軸及び支軸にトルクを加えた状態の平面図である。
【図６】本発明に係るヒンジ構造を用いた携帯機器の斜視図である。
【符号の説明】
【００３２】
１    枢軸
２    ばね環
２１  第１の挿通部（挿通部）
２２  第２の挿通部（挿通部）
２３  貫通孔（変更手段）
３    支軸
４    移動体（ラジアル方向へ撓ませる手段）
【図１】
2005331047.tif 000003
【図２】
2005331047.tif 000004
【図３】
2005331047.tif 000005
【図４】
2005331047.tif 000006
【図５】
2005331047.tif 000007
【図６】
2005331047.tif 000008